(57)【要約】      （修正有）【課題】コーナータップと扁平形蓋状ケースを一体化し、長さの余剰な電線コードやプラグの接続箇所をケース内に収納し、そのケースをコーナータップの差し込みプラグで壁面の電源コンセントに留め付ける事により室内の美観を良くし、埃が原因で発生するトラッキング現象を防ぐ事が出来る、コーナータップを内蔵した電線コード収納ケースを提供する。【解決手段】コーナータップ２の差し込みプラグ５の対抗面に、コーナータップの厚み以上の高さの外枠面６を外周に有する、扁平形の蓋状ケースを固着又は一体成形し、ケース内のコーナータップの周囲に長さの余剰な電線コード４を収納可能にし、コーナータップの差し込みプラグを電源コンセントに差し込む事によってそのケースを壁面の電源コンセントに着脱可能にする。【選択図】図１
2012134020.tif 000002
【特許請求の範囲】
【請求項１】
コーナータップの差し込みプラグの対抗面に、コーナータップの厚み以上の高さの外枠面を外周に有する、扁平形の蓋状ケースを固着又は一体成形し、
ケース内のコーナータップの周囲に長さの余剰な電線コードを収納可能にし、
コーナータップの差し込みプラグを電源コンセントに差し込む事によってそのケースを壁面の電源コンセントに着脱可能にした事を特徴とするコーナータップを内蔵した電線コード収納ケース。
【請求項２】
前記、コーナータップは差し込みプラグの刃の台座の部分が回動可能である事を特徴とする請求項１に記載のコーナータップを内蔵した電線コード収納ケース。
【請求項３】
前記、電線コード収納ケース内のコーナータップの周囲に電線コードの巻き取り枠を設けた事を特徴とする請求項１乃至２のいずれかに記載のコーナータップを内蔵した電線コード収納ケース。
【請求項４】
前記、扁平形の蓋状ケース内の電線コードの巻き取り枠の間にコーナータップの挿入ケースを設け、前記、コーナータップに換え、回動可能な差し込みプラグの刃の台座の
部分をコーナータップの厚さより高く成形したコーナータップを挿入ケースに挿入し、
コーナータップに扁平形の蓋状ケースを固着した事を特徴とする請求項１乃至３のい
ずれかに記載のコーナータップを内蔵した電線コード収納ケース。
【請求項５】
前記、電線コード収納ケースの表面の一面にコーナータップから電線コードへの通電を切り替えるパイロットランプ付き省エネスイッチを設けた事を特徴とする請求項１乃至３のいずれかに記載のコーナータップを内蔵した電線コード収納ケース。
【請求項６】
前記、電線コード収納ケースの表面の一面にコーナータップのプラグ受けを設けた事を特徴とする請求項１乃至３及び５のいずれかに記載のコーナータップを内蔵した電線コード収納ケース。
【発明の詳細な説明】
【技術分野】
【０００１】
本発明は、コーナータップと扁平形の蓋状ケースを一体化することにより長さの余剰
な電線コードやプラグの接続箇所をケース内に収納した、コーナータップを内蔵した電
線コード収納ケースに関する物である。
【背景技術】
【０００２】
本発明は、長さの余剰な電線コードやプラグの接続箇所をケース内に収納する事により室内の美観を良くし、プラグの間に付着堆積する埃を防ぎトラッキング現象の発生を少なくする事が出来る、コーナータップを内蔵した電線コード収納ケースを提供する。
先願の特許文献１はタップを内蔵する「配線収納ボックス」であるが、本発明は、コーナータップを使用しその差し込みプラグを電源コンセントに差し込む事によりケースを壁面の電源コンセントに着脱可能にした点で優れている。
【先行技術文献】
【特許文献】
【０００３】
【特許文献１】実用新案登録第３１０７４６７号
【発明の概要】
【発明が解決しようとする課題】
【０００４】
電源コンセントに市販の電気製品のコードや延長コードを接続した場合、長さが余り室内に束ねられ放置されている事が多い。見栄えが悪く余剰コードを足で引っ掛ける事がある。特にコーナータップを使用し電源コンセントに多くのプラグを接続した「たこ足配線」は室内の美観を損なう。又、プラグの間に埃が付着堆積しトラッキング現象が発生し火災の原因となる事がある。
【課題を解決するための手段】
【０００５】
本発明は、コーナータップの差し込みプラグの対抗面に、コーナータップの厚み以上の高さの外枠面を外周に有する、扁平形の蓋状ケースを固着又は一体成形し、ケース内のコーナータップの周囲に長さの余剰な電線コードを収納可能にし、コーナータップの差し込みプラグを電源コンセントに差し込む事によってそのケースを壁面の電源コンセントに着脱可能にする。
【発明の効果】
【０００６】
電源コンセントに電線コードの差し込みプラグを接続した場合、長さの余剰な電線コ
ードをケース内のコーナータップの周囲に巻き付け収納出来るので、室内の美観を良く
すると同時に余剰コードを足で引っ掛ける事が少なくなる。
特にコーナータップを使用し電源コンセントに多くのプラグを接続した「たこ足配線」
は、ケース内に隠れて表面から見えないので室内がすっきりする。
又、プラグの接続箇所がケース内に納まるのでプラグの間に埃の付着堆積を防ぎ、ト
ラッキング現象による火災を防ぐ効果がある。
【図面の簡単な説明】
【０００７】
【図１】本発明の電線コード収納ケースの裏面を示す図で、第１の実施例の斜視図である。
【図２】本発明の電線コード収納ケースの裏面を示す図で、第２の実施例の斜視図である。
【図３】本発明の電線コード収納ケースの裏面を示す図で、第３の実施例の斜視図である。
【図４】本発明の電線コード収納ケースの表面を示す図で、壁面の電源コンセントに留め付けた状態を示す実施例の斜視図である。
【図５】図１の一点鎖線Ａ―Ａ´上の断面を示す図で、外枠面の形状の実施例である。（電線コードの断面は除いてある）
【図６】図１の一点鎖線Ａ―Ａ´上の断面を示す図で、外枠面の形状の実施例である。（電線コードの断面は除いてある）
【図７】図１の一点鎖線Ａ―Ａ´上の断面を示す図で、外枠面の形状の実施例である。（電線コードの断面は除いてある）
【図８】図１の一点鎖線Ａ―Ａ´上の断面を示す図で、外枠面の形状の実施例である。（電線コードの断面は除いてある）
【図９】図１の一点鎖線Ａ―Ａ´上の断面を示す図で、外枠面の形状の実施例である。（電線コードの断面は除いてある）
【図１０】図３の一点鎖線Ｂ−Ｂ´上での断面を示す図で、コーナータップの挿入ケースを設けた第３の実施例である。
【発明を実施するための形態】
【０００８】
コーナータップの差し込みプラグの対抗面に、コーナータップの厚み以上の高さの外枠面を外周に有する、扁平形の蓋状ケースを固着又は一体成形し、ケース内のコーナータップの周囲に長さの余剰な電線コードを収納可能にし、コーナータップの差し込みプラグを電源コンセントに差し込む事によってそのケースを壁面の電源コンセントに着脱可能にする。
【０００９】
コーナータップの差し込みプラグの対抗面とは、壁面の電源コンセントにコーナーップの刃を立てた状態で差し込んだ時、コーナータップのボディーの壁面に平行な、電源コンセントの反対側の面を指している。
【００１０】
電線コード収納ケースの外周に設けた外枠面の高さは、コーナータップやコーナータップの周囲に設けた電線コードの巻き取り枠より電源コンセントカバーの厚さ分を高くしておけば外枠面と壁面の隙間が少なくなり、ケース内への埃の侵入を少なくする事が出来る。
コーナータップは、差し込みプラグの刃の台座の部分が回動可能であれば使用していない片方のコーナータップの刃を倒す事により、電源コンセントのプラグ受けに入らず省エネ効果が出る。片方の差し込みプラグのみでもケースを壁面の電源コンセントに留め付ける事が出来る。
電線コード収納ケース内のコーナータップの周囲に電線コードの巻き取り枠を設ければ、電線コードを収納し易くそのケース内のコーナータップを電源コンセントに差し込む際、電線コードがケース内に収まり邪魔になり難い。
扁平形の蓋状ケース内の電線コードの巻き取り枠の間にコーナータップの挿入ケースを設け、回動可能な差し込みプラグの刃の台座の部分を、挿入ケースの厚さ分、コーナータップの厚さより高く成形したコーナータップを、プラグの刃の部分を倒した状態で挿入ケースに挿入し、プラグの刃の部分を立てる事によりコーナータップに扁平形の蓋状ケースを固着出来る。
電線コード収納ケースの表面の一面にコーナータップから電線コードへの通電を切り替えるパイロットランプ付き省エネスイッチを設ければ待機電力の削減が出来省エネ効果が出る。
電線コード収納ケースの表面の一面にコーナータップのプラグ受けを設ければ電線コード収納ケースをコンセントに留め付けた状態のままで外側から別の差し込みプラグを接続使用出来る。
【実施例】
【００１１】
本発明のコーナータップ２を内蔵した電線コード収納ケース１は、図１、２の様に、電気製品のコードや延長コード４の差し込みプラグ３をコーナータップ２のプラグ受けに接続し、長さの余剰な電線コード４をケース１内のコーナータップ２の周囲の電線コードの巻き取り枠７に巻き付け、図４の様に、コーナータップ２の差し込みプラグの刃５を電源コンセントのプラグ受けに差し込み留め付ける事により壁面９に着脱可能にした物である。
【００１２】
電線コード収納ケース１の外周の外枠面の形状は、図５〜９の様に表面の蓋１９部分
を含め断面がコの字型６、エル字型１７、コの字型６とエル字型１７の複合、蛇腹型１８、コの字型６の上にガスケット２１を設けた物等が考えられる。
電線コードの巻き取り枠７は、外枠面に相対し同じくエル字型、コの字型等の形状が考えられる。これらの他に図面には示していないが外枠面及び電線コードの巻き取り枠７の断面形状は、横Ｕ字型やＶ字型や丸括弧型でも良い。
第１、第２、第３の実施例では、ケース１の外周にコの字型の外枠面６とエル字型の外枠面１７を設け、コーナータップ２の周囲である両側にコの字型の巻き取り枠７を設けた物である。
【００１３】
電線コード収納ケース１の外周にコの字型の外枠面６を設け、そのコの字型６に相対してコーナータップ２の両側にコの字型の巻き取り枠７を設ければ電線コード４を収納し易く、ケース１内のコーナータップ２を電源コンセントに差し込む際、電線コード４がケース１内に収まり邪魔になり難い。
電線コード収納ケース１の外周に設けたコの字型の外枠面６は、コーナータップ２やコーナータップ２の両側に設けたコの字型の巻き取り枠７より電源コンセントカバーの
厚さ分を高くしておけば外枠面と壁面９の隙間が少なくなり、ケース１内への埃の侵入
を少なくする事が出来る。
【００１４】
図１の第１の実施例では、電線コード収納ケース１の外周３辺にコの字型の外枠面６を設け、残る１辺のケース１の下部１４である表面の蓋１９を適当な位置で切る事により床からコンセントの高さとケース１の高さを調節する事が出来る。
外枠面の２辺の下部をエル字型１７にしておけば、壁面９に巾木１０がある場合は、巾木１０の厚み分を切る事により外枠面と壁面９の隙間を少なくする事が出来、ケース１内に埃が入り難い。
高さ調節、巾木分調節で切る部分を薄く成形しておくか、筋を付けて成形しておけば切り易い。
このエル字型の外枠面１７は、ケースの下部１４を空けておく事により電線コードを通す孔１５とする。
【００１５】
図２の第２の実施例では、コーナータップ２は、差し込みプラグの刃５の台座の部分が回動可能であれば、使用していない片方のコーナータップ２の刃８を倒す事により、差し込みプラグの刃８が電源コンセントのプラグ受けに入らず省エネ効果が出る。
片方の差し込みプラグの刃５のみでもケース１を壁面９の電源コンセントに留め付ける事が出来る。
電線コード収納ケース１の外周３辺にコの字型の外枠面６と残る１辺にエル字型の外枠面１７を設けているのでケース１の下部１４には、電線コード４を通す孔１５を設ける必要がある。
電線コード収納ケース１内に電線コード４を結束、留め付ける為のバンド１６や爪やフックを設ければ電線コード４を束ねて収納出来る。
【００１６】
コーナータップ２を扁平形の蓋状ケース１に固着する方法は、コーナータップ２を蓋１９に接着剤や両面テープで固着しても良いが、コーナータップ２の片面を成形する際に蓋１９や外枠面や巻き取り枠７を同時に一体成形し、別途成形したコーナータップ２の他の片面を留め付けても良い。
図３の第３の実施例は、第１、第２の実施例とコーナータップ２を扁平形の蓋状ケース１に固着する方法が異なる物である。
扁平形の蓋状ケース１内の電線コードの巻き取り枠７の間にコーナータップ２の挿入
ケース２２を設け、挿入ケース２２には、プラグの台座部分を受ける開口部２４を設けておく。
回動可能な差し込みプラグの刃５の台座の部分２３を、挿入ケース２２の厚さ分、コーナータップ２の厚さより高く成形したコーナータップ２を、プラグの刃５の部分を倒した状態で矢印の方向へ挿入ケース２２に挿入し、プラグの刃５の部分を開口部２４内で立てる事によりコーナータップ２に扁平形の蓋状のケース１を固着出来る。
この実施例では、既存のコーナータップ２を一部改造し使用出来、コーナータップ２のサイズに合わせ、外枠面や電線コードの巻き取り枠７や挿入ケース２２を備えた扁平形の蓋状ケース１を成形すれば良い。
この実施例では、図４にある表面のパイロットランプ付き省エネスイッチやプラグ受けは設けられ無い。
図１０は、図３の一点鎖線Ｂ−Ｂ´上の断面図であり、コーナータップの挿入ケース２２にコーナータップ２を挿入し固着した状態を示している。
【００１７】
図４の実施例では、本発明の電線コード収納ケース１の表面の一面にコーナータップ２から電線コード４への通電を切り替えるパイロットランプ１３付き省エネスイッチ１２を設ければ待機電力の削減が出来省エネ効果が出る。
本発明の電線コード収納ケース１の表面の一面にコーナータップ２のプラグ受け１１を設ければ電線コード収納ケース１を電源コンセントに留め付けた状態のままで外側から別の差し込みプラグを接続使用出来る。
【００１８】
コナータップ２や表面の蓋１９や電線コードの巻き取り枠７は、硬質樹脂で成形する方が良いが外枠面は、軟質樹脂で成形しても良い。
図５のコの字型の外枠面６や図６のエル字型の外枠面１７を軟質樹脂で成形しても良い。
図７のコの字とエル字型の複合では、コの字型６の部分を硬質樹脂でエル字型１７の先端のみ軟質樹脂で成形しても良い。
図８の様に、外枠面のコの字型の立ち上がり面を蛇腹型１８にして軟質樹脂で成形しても良い。
図９の様に、コの字型の外枠面６の立ち上がり面の内部に溝２０を設け硬質樹脂で成形し、別途軟質樹脂で成形したガスケット２1を溝２０の中に挿入しても良い。
軟質樹脂部分が電源コンセントカバーの厚さや巾木１０の厚さを吸収し外枠面と壁面９の隙間は少なくなり、ケース１内への埃の侵入を少なくする事が出来る。
又、外枠面を切る場合も軟質樹脂の方が切り易い。
【００１９】
全実施例に於いて、本発明のコーナータップを内蔵した電線コード収納ケース１の全体は、壁面９や巾木１０や電線被覆４やコンセントカバー等の樹脂に対し、樹脂どうしが長時間接していても固着しない非移行の素材を選択し、発熱、発火にも強い樹脂で成形する必要がある。
又電線コード４から出る電磁波を遮断する電磁波シールドが求められる場合もある。
【産業上の利用可能性】
【００２０】
世界中の家、学校、、病院、、店舗、オフィス、ホテル等あらゆる建物には電源コンセントがあり、多くの場所で長さの余剰な電線コードが足元に置かれ、コーナータップでたこ足配線が行われている。
本発明は、室内の美観を高め、歩行の安全を確保し、トラッキンギ現象の発生を防ぐ事に貢献出来る物である。
【符号の説明】
【００２１】
１    コーナータップを内蔵した電線コード収納ケース・扁平形蓋状ケース
２    コーナータップ
３    電線コード付き差し込みプラグ
４    電線コード
５    コーナータップの差し込みプラグの刃
６    コの字型の外枠面
７    コの字型の電線コードの巻き取り枠
８    倒したコーナータップの差し込みプラグの刃
９    壁面
１０    巾木
１１    コーナータップのプラグ受け
１２    省エネスイッチ
１３    パイロットランプ
１４    ケースの下部
１５    電線コードを通す孔
１６    電線コードを結束、留め付けるバンド  
１７    エル字型の外枠面
１８    コの字型の立ち上がり面が蛇腹型の外枠面
１９    表面の蓋
２０    コの字型の立ち上がり面の内部に設けた溝
２１    軟質樹脂で成形したガスケット
２２    コーナータップの挿入ケース
２３    高く成形したプラグの刃の台座の部分
２４    プラグの台座部分を受ける開口部
【図１】
2012134020.tif 000003
【図２】
2012134020.tif 000004
【図３】
2012134020.tif 000005
【図４】
2012134020.tif 000006
【図５】
2012134020.tif 000007
【図６】
2012134020.tif 000008
【図７】
2012134020.tif 000009
【図８】
2012134020.tif 000010
【図９】
2012134020.tif 000011
【図１０】
2012134020.tif 000012